(57)【要約】      （修正有）【課題】２つの逆止弁を組み込むことにより簡素かつ小型に構成するとともに、逆方向に流れる流体を濾過するフィルターを設けることによって分岐路内の逆止弁の閉弁時のシール性を確保する。【解決手段】流体通路１ａを介して連通された２つの接続ポート１１，１２と、流体通路１ａからの分岐路１ｂに連通された接続ポート１３と、流体通路１ａ内に設けられた第一の逆止弁１４と、分岐路１ｂ内に設けられた第二の逆止弁と、接続ポート１２から接続ポート１３へ流れる流体を濾過するフィルター１６とを備え、フィルター１６を、流体通路１ａの内周面に沿って設ける。【選択図】図１
2013072507.tif 000002
【特許請求の範囲】
【請求項１】
第一の接続ポートと、該第一の接続ポートに流体通路を介して連通された第二の接続ポートと、前記流体通路の中途部から分岐された分岐路に連通された第三の接続ポートと、前記流体通路内に設けられた第一の逆止弁と、前記分岐路内に設けられた第二の逆止弁と、第二の接続ポートから第三の接続ポートへ流れる流体を濾過するフィルターとを備え、前記第一の逆止弁は、第一の接続ポートから第二の接続ポートへの流体の流れは許容するが第二の接続ポートから第一の接続ポートへの流体の流れは前記分岐路よりも第一の接続ポート側で阻止し、前記第二の逆止弁は、第二の接続ポートから第三の接続ポートへの流体の流れは許容するが第三の接続ポートから第二の接続ポートへの流体の流れは阻止し、第一の逆止弁の開弁圧よりも第二の逆止弁の開弁圧が高く設定され、前記フィルターは、前記流体通路の内周面に沿って設けられていることを特徴とする弁装置。
【請求項２】
請求項１に記載の弁装置において、前記フィルターの外周側に前記分岐路が開口形成されていることを特徴とする弁装置。
【請求項３】
請求項１又は２に記載の弁装置において、第一の逆止弁は、前記分岐路よりも第一の接続ポート側に設けられた弁座と、背圧によって弁座を閉塞する球状弁体とを備え、前記フィルターは前記球状弁体の外周側に配設されていることを特徴とする弁装置。
【請求項４】
請求項１又は２に記載の弁装置において、第一の逆止弁は、前記分岐路よりも第一の接続ポート側に設けられた弁座と、背圧によって弁座を閉塞する球状弁体と、該球状弁体の第二接続ポート側への移動を所定位置で規制するリブとを備え、前記フィルターは円筒状に形成されるとともに前記弁座と前記リブとの間に保持されていることを特徴とする弁装置。
【請求項５】
請求項１〜４のいずれか１項に記載の弁装置において、第一及び第二の接続ポートを備える第一の弁本体と、第三の接続ポートを備える第二の弁本体とを備え、前記流体通路及び第一の逆止弁は第一の弁本体に設けられ、前記分岐路及び第二の逆止弁は第二の弁本体に設けられ、第二の弁本体が第一の弁本体に対して着脱可能に取付けられていることを特徴とする弁装置。
【発明の詳細な説明】
【技術分野】
【０００１】
本発明は、流体通路内の流体の流れを一方向にのみ許容するとともに、逆方向の流体の流れは分岐路に流出させるための弁装置に関する。
【背景技術】
【０００２】
近年のガス給湯機器としては、熱効率の高い潜熱回収型の給湯器が一般的となっており、耐用年数の経過した古い給湯器を潜熱回収型の給湯器に交換することが増加している。
【０００３】
潜熱回収型の給湯器においては、潜熱回収用の二次熱交換器の外表面に酸性凝縮水が発生するため、例えば下記の特許文献１に開示されているように、酸性凝縮水を回収してドレン水として排水するためのドレン排水装置（排水回路）が給湯器に具備されている。
【０００４】
この従来のドレン排水装置では、フロ戻り管に分岐排水路を設け、該分岐排水路よりも浴槽側のフロ戻り管に逆止弁を設けるとともに、分岐排水路にも逆止弁を設けて、通常のフロ追焚き時にはフロ戻り管の通水を許容する一方、ドレン排水時には、ドレン水をフロ戻り管に逆流させ、上記分岐排水路からドレン水を排水できるように構成されている。かかる構成を採用することにより、既設の配管を利用してドレン水を浴槽下の排水穴に排水させることができ、古い給湯器の交換作業を低コストで容易かつ迅速に行えるようになっている。
【先行技術文献】
【特許文献】
【０００５】
【特許文献１】特開２０１０−１０６８８３号公報
【発明の概要】
【発明が解決しようとする課題】
【０００６】
しかし、古い公団住宅などにおいて、浴槽と浴室壁面との間の隙間が非常に狭い場合もあり、かかる狭い隙間にも配設できるようにするために上記分岐排水路や逆止弁の一層の小型化が求められている。また、ドレン水は二次熱交換器の外表面の凝縮水を回収したものであるため、ドレン水には微細な塵埃やその他種々の微細固形物が混入することがあるが、かかるドレン水を分岐排水路にそのまま排水すると、分岐排水路に設けた逆止弁の閉弁時のシール性に影響を与えることがあり、通常のフロ追焚き時に分岐排水路の逆止弁から水漏れが生じてしまうおそれがある。
【０００７】
そこで本発明は、流体通路内の流体の流れを一方向にのみ許容するとともに逆方向の流体の流れは分岐路に流出させるための弁装置において、２つの逆止弁を組み込むことにより簡素かつ小型に構成するとともに、逆方向に流れる流体を濾過するフィルターを設けることによって分岐路内の逆止弁の閉弁時のシール性を確保することを目的とする。
【課題を解決するための手段】
【０００８】
上記目的を達成するために、本発明は、次の技術的手段を講じた。
【０００９】
すなわち、本発明の弁装置は、第一の接続ポートと、該第一の接続ポートに流体通路を介して連通された第二の接続ポートと、前記流体通路の中途部から分岐された分岐路に連通された第三の接続ポートと、前記流体通路内に設けられた第一の逆止弁と、前記分岐路内に設けられた第二の逆止弁と、第二の接続ポートから第三の接続ポートへ流れる流体を濾過するフィルターとを備え、前記第一の逆止弁は、第一の接続ポートから第二の接続ポートへの流体の流れは許容するが第二の接続ポートから第一の接続ポートへの流体の流れは前記分岐路よりも第一の接続ポート側で阻止し、前記第二の逆止弁は、第二の接続ポートから第三の接続ポートへの流体の流れは許容するが第三の接続ポートから第二の接続ポートへの流体の流れは阻止し、第一の逆止弁の開弁圧よりも第二の逆止弁の開弁圧が高く設定され、前記フィルターは、前記流体通路の内周面に沿って設けられていることを特徴とするものである（請求項１）。
【００１０】
かかる本発明の弁装置によれば、第１の接続ポートから第２の接続ポートへ流体が流れるときは、第１の逆止弁が開弁され、第２の逆止弁は閉弁されて、第３の接続ポートから流体が漏出することはない。第２の接続ポートから流体が逆流する際には、第１の逆止弁は閉弁する一方、第３の接続ポートから流入する流体圧によって第２の逆止弁が開弁して、第３の接続ポートから流体が流出する。このとき、流体通路内に設けたフィルターによって、第２の逆止弁の上流側で流体が濾過されるため、微細固形物が第２の逆止弁内に流入することが阻止され、該第２の逆止弁の閉弁時のシール性が確保される。また、フィルターは第１の接続ポートから第２の接続ポートへの流体通路の内面に沿って設けているので、フィルターに付着した微細固形物は、第１の接続ポートから第２の接続ポートへ流体が流れる際に該流体によって取り除かれるため、フィルターは目詰まりを起こしにくくなる。
【００１１】
上記本発明の弁装置において、前記フィルターの外周側に前記分岐路を開口形成させることができる（請求項２）。かかる構成によれば、装置構成の簡素小型化を図りつつも、フィルターを介した分岐路への流体の流れを円滑化することができる。
【００１２】
また、第一の逆止弁は、前記分岐路よりも第一の接続ポート側に設けられた弁座と、背圧によって弁座を閉塞する球状弁体とを備え、前記フィルターは前記球状弁体の外周側に配設されているものとすることができる（請求項３）。これによれば、球状弁体が流体通路内壁面に直接衝当することがフィルターによって防止され、球状弁体の転がり音が低減されるため、特に浴室内に弁装置を配設した場合に入浴者に球状弁体の転がり音による不快感を与えてしまうことを防止できる。さらに、第１の接続ポートから第２の接続ポートに流れる流体は、球状弁体の外周と流体通路の内周面との間の隙間を流れる際に加速され、該流体によってフィルターに付着した微細固形物をより効率的に取り除くことが可能になる。
【００１３】
また、第一の逆止弁は、前記分岐路よりも第一の接続ポート側に設けられた弁座と、背圧によって弁座を閉塞する球状弁体と、該球状弁体の第二接続ポート側への移動を所定位置で規制するリブとを備え、前記フィルターは円筒状に形成されるとともに前記弁座と前記リブとの間に保持されているものとすることができる（請求項４）。これによれば、フィルターが球状弁体の外周側を覆うように配置されるため、球状弁体が流体通路内壁面に直接衝当することがフィルターによって防止され、球状弁体の転がり音が低減され、特に浴室内に弁装置を配設した場合に入浴者に球状弁体の転がり音による不快感を与えてしまうことを防止できる。さらに、第１の接続ポートから第２の接続ポートに流れる流体は、球状弁体の外周と流体通路の内周面との間の隙間を流れる際に加速され、該流体によってフィルターに付着した微細固形物をより効率的に取り除くことが可能になる。さらに、フィルターの保持を、第１の逆止弁を構成する弁座及びリブによって行っているので、一層の構成の簡素化が図られる。
【００１４】
また、第一及び第二の接続ポートを備える第一の弁本体と、第三の接続ポートを備える第二の弁本体とを備え、前記流体通路及び第一の逆止弁は第一の弁本体に設けられ、前記分岐路及び第二の逆止弁は第二の弁本体に設けられ、第二の弁本体が第一の弁本体に対して着脱可能に取付けられている構成とすることができる（請求項５）。これによれば、第二の弁本体を第一の弁本体から取り外すことによって第二の逆止弁を容易に取り外すことができ、分岐路に連通する前記流体通路側面の開口部から洗浄水を通水させることによってフィルターの清掃を容易かつ迅速に行うことができる。
【発明の効果】
【００１５】
本発明の請求項１に係る弁装置によれば、第１の接続ポートから第２の接続ポートへ流体が流れるときは、第１の逆止弁が開弁され、第２の逆止弁は閉弁されて、第３の接続ポートから流体が漏出するを防止できる。一方、第２の接続ポートから流体が逆流する際には、第１の逆止弁は閉弁する一方、第３の接続ポートから流入する流体圧によって第２の逆止弁が開弁して、第３の接続ポートから流体を流出させることができる。このとき、流体通路内に設けたフィルターによって、第２の逆止弁の上流側で流体が濾過されるため、微細固形物が第２の逆止弁内に流入することが阻止され、該第２の逆止弁の閉弁時のシール性を確保することができる。また、フィルターは第１の接続ポートから第２の接続ポートへの流体通路の内面に沿って設けているので、フィルターに付着した微細固形物を、第１の接続ポートから第２の接続ポートへ流体が流れる際に該流体によって取り除くことができ、フィルターの目詰まりを防止できる。
【００１６】
また、本発明の請求項２に係る弁装置によれば、装置構成の簡素小型化を図りつつも、フィルターを介した分岐路への流体の流れを円滑化することができる。
【００１７】
また、本発明の請求項３に係る弁装置によれば、球状弁体が流体通路内壁面に直接衝当することがフィルターによって防止され、球状弁体の転がり音が低減されるため、特に浴室内に弁装置を配設した場合に入浴者に球状弁体の転がり音による不快感を与えてしまうことを防止できる。さらに、第１の接続ポートから第２の接続ポートに流れる流体は、球状弁体の外周と流体通路の内周面との間の隙間を流れる際に加速され、該流体によってフィルターに付着した微細固形物をより効率的に取り除くことができる。
【００１８】
また、本発明の請求項４に係る弁装置によれば、フィルターが球状弁体の外周側を覆うように配置されるため、球状弁体が流体通路内壁面に直接衝当することがフィルターによって防止され、球状弁体の転がり音が低減され、特に浴室内に弁装置を配設した場合に入浴者に球状弁体の転がり音による不快感を与えてしまうことを防止できる。さらに、第１の接続ポートから第２の接続ポートに流れる流体は、球状弁体の外周と流体通路の内周面との間の隙間を流れる際に加速され、該流体によってフィルターに付着した微細固形物をより効率的に取り除くことができる。さらに、フィルターの保持を、第１の逆止弁を構成する弁座及びリブによって行っているので、一層の構成の簡素化を図ることができる。
【００１９】
また、本発明の請求項５に係る弁装置によれば、第二の弁本体を第一の弁本体から取り外すことによって第二の逆止弁を容易に取り外すことができ、分岐路に連通する前記流体通路側面の開口部から洗浄水を通水させることによってフィルターの清掃を容易かつ迅速に行うことができる。
【図面の簡単な説明】
【００２０】
【図１】本発明の第１の実施形態に係る弁装置のフロ追焚き時の断面図である。
【図２】同弁装置のドレン排水時の断面図である。
【図３】本発明の第２の実施形態に係る弁装置のドレン排水時の断面図である。
【図４】本発明の弁装置を適用した風呂装置の模式図である。
【発明を実施するための形態】
【００２１】
以下、本発明の好適な実施形態を図面に基づいて説明する。
【００２２】
まず、本発明の弁装置が用いられる好適な一例として、潜熱回収型熱交換器を具備する風呂装置を図４に基づいて説明する。この風呂装置は、風呂の追焚き機能と給湯機能を有する複合熱源機型に構成されたものであり、給湯機能を実現するための給湯回路２と、風呂追焚き機能を実現するための追焚き循環回路３と、給湯回路２で加熱された湯を追焚き循環回路３側へ通水させるための注湯回路４と、潜熱回収用の二次熱交換器２４，３２で発生するドレン水の中和及び浄化処理を行うドレン水処理回路５と、追焚き循環回路３の戻り管３７に付設された本発明の弁装置１とを備えている。
【００２３】
給湯回路２は、バーナ２０と、このバーナ２０の燃焼ガスの顕熱（燃焼熱）により入水を熱交換加熱する給湯用の一次熱交換器２１とを備え、入水路２２から入水される水道水等が給湯用一次熱交換器２１において主として加熱され、加熱された後の湯が出湯路２３に出湯されるようになっている。この際、入水路２２からの入水は、一次熱交換器２１に入水される前に、例えば排気集合筒内に配設された二次熱交換器２４に通されるようになっており、この二次熱交換器２４において燃焼排ガスからの潜熱回収により予熱された状態で一次熱交換器２１に入水されて加熱されるようになっている。そして、所定温度に加熱されて出湯路２３に出湯された湯が、台所や浴室等の給湯栓や上記注湯回路４などの所定の給湯箇所に給湯されるようになっている。
【００２４】
追焚き循環回路３は、バーナ３０の燃焼ガスの顕熱により循環温水を熱交換加熱する追焚き用一次熱交換器３１と、該一次熱交換器３１の上流側に接続されて燃焼排ガスから潜熱を回収する追焚き用二次熱交換器３２と、該二次熱交換器３２の上流側に接続された入水管路３３と、上記一次熱交換器３１の下流側に接続された出水管路３４と、入水管路３３に介設された追焚き用循環ポンプ３５と、浴槽６の側壁に配設した循環アダプタ６１の湯水吐出側接続口６１ａに接続された往き配管３６と、循環アダプタ６１の湯水吸込み側接続口６１ｂに弁装置１を介して接続された戻り配管３７と、出水管路３４を往き配管３６と戻り配管３７のいずれか一方に選択的に連通させる三方切替弁３８と、入水管路３３を戻り配管３７とドレン水処理回路５のドレン水導出路５４とのいずれか一方に選択的に連通させる三方切替弁３９とを備えている。
【００２５】
注湯回路４は、給湯回路２の出湯路２３と追焚き循環回路３の入水管路３３とを接続するものであり、その中途部には、開閉切換により通水の実行と遮断とを切換える電磁開閉弁４０が設けられている。
【００２６】
ドレン水処理回路５は、二次熱交換器２４，３２において燃焼排ガスが潜熱回収のための熱交換により冷やされて凝縮することにより生じたドレン水に対し、中和処理や浄化処理等の改質処理を加えた上で排出するために設置された回路である。すなわち、ドレン水処理回路５は、給湯用二次熱交換器２４からドレン水を集水する集水パン５１及び追焚き用二次熱交換器３２からドレン水を集水する集水パン５２と、集水されたドレン水に対し改質処理を施す改質処理槽５３と、改質処理層５３から改質処理後のドレン水を追焚き循環回路３の入水管路３３に導出させるドレン水導出路５４と、ドレン水導出路５４に設けられた逆止弁５５とを備えている。ドレン水導出路５４は、その下流端が三方切換弁３９を介して入水管路３３に接続されている。
【００２７】
通常の風呂追焚き時には、三方切換弁３９はドレン水導出路５４側が遮断されて戻り配管３７が入水管路３３に連通されるとともに、三方切換え弁３８を出水管路３４と往き配管３６とが連通するように切換えることにより、図４に実線矢印で示すように湯水が流れる循環管路が構成される。そして、ドレン水排水運転時には、三方切換え弁３９をドレン水導出路５４と入水管路３３とが連通するように切換えると共に、三方切換え弁３８を出水管路３４と戻り配管３７とが連通するように切換えて、追焚き用循環ポンプ３５を作動させることにより、図４に点線矢印で示すように、改質処理後のドレン水をドレン水導出路５４、入水管路３３、二次熱交換器３２、一次熱交換器３１、出水管路３４を介して戻り配管３７に導出させるようになっている。また、改質処理層５３内のドレン水の排水完了後、追焚き循環回路３内に残るドレン水を排水するため、注湯回路４の電磁切換弁４０を開いて給湯回路２から水を循環回路３へ所定時間通水させるようになっている。なお、上記のドレン水排水運転時には、給湯回路２及び追焚き循環回路３のバーナ３０は燃焼運転を停止させるようになっている。
【００２８】
弁装置１は、循環アダプタ６１の湯水吸込み側接続口６１ｂに取付けられて浴槽６と浴室の壁面との間に配設され、風呂追焚き時には浴槽６内から循環アダプタ６１を通して戻り配管３７への浴槽水の通水を許容する一方、ドレン排水時には逆方向の通水（戻り配管３７から浴槽６へのドレン水の通水）を遮断するとともに戻り配管３７に排出されるドレン水を排水管路７を介して浴槽６下の浴槽排水設備６２に排水するように構成されている。
【００２９】
図１及び図２は、本発明の第１の実施形態に係る弁装置１を示しており、図１は風呂追焚き時の状態、図２はドレン排水時の状態を示している。本実施形態の弁装置１は、循環アダプタ６の湯水吸込み側接続口６１ｂに接続される第一の接続ポート１１と、戻り配管３７の上流端に接続される第二の接続ポート１２と、排水管路７の上流端に接続される第三の接続ポート１３とを備え、第一の接続ポート１１と第二の接続ポート１２とが流体通路１ａを介して直線状に配設され、第三の接続ポート１３が流体通路の中途部から直角に分岐された分岐路１ｂに連通されて、全体として略Ｔ字管状に構成されている。また、第一の接続ポート１１と第二の接続ポート１２とは内部に上記流体通路１ａを有する第一の弁本体１１１に一体的に備えられ、該第一の弁本体１１１に着脱自在に取付けられた第二の弁本体１１２に上記第三の接続ポート１３及び分岐路１ｂが設けられている。第一の接続ポート１１の外周には、循環アダプタ６の湯水吸込み側接続口６１ｂに接続固定するための袋ナット継手１５が取付けられている。第二の接続ポート１２の外周面には、戻り配管３７の上流側端部に取付けられた袋ナット継手（図示せず）を取付けるためのネジ１２ａが設けられている。
【００３０】
第一の弁本体１１１の流体通路１ａ内には、ボール式の第一の逆止弁１４が設けられている。この第一の逆止弁１４は、分岐路１ｂよりも第一の接続ポート１１側に設けられた弁座１４１と、第二の接続ポート１２から流体通路１ａに流入する流体の圧力（背圧）によって弁座１４１を閉塞する球状弁体１４２と、該球状弁体１４２の第二の接続ポート１２側への移動を所定位置で規制するリブ１４３とを備えており、球状弁体１４２は弁座１４１とリブ１４３との間で自在に軸方向移動できるように内蔵されており、球状弁体１４２は実質的に無負荷で弁座１４１から離間して開弁する。弁座１４１は第一の接続ポート１１内に嵌着された略円筒状のゴム製部材からなり、球状弁体１４２に対向する端面がテーパー面に形成されている。弁座１４１を構成するゴム製部材には、第一の接続ポート１１の開口端面を覆うパッキン部１４１ａが一体形成されており、これにより弁座１４１を構成するゴム製部材が袋ナット継手１５のパッキンを兼用させて、部品点数の削減を図っている。球状弁体１４２は、弁座１４１の取付け前に第一の接続ポート１１から流体通路１ａ内に挿入され、その後弁座１４１を取付けることによって流体通路１ａ内に封入されている。上記リブ１４３は、第一の弁本体１１１の内周面に一体的に設けられ、球状弁体１４２に対向する端面はテーパー面に形成されており、周方向に複数（図示例では４つ）のリブ１４３を周方向に離間して配設することによって、図１に示すように球状弁体１４２がリブ１４３に当接していても浴槽水の通水空間が確保されるようになっている。
【００３１】
また、第一の弁本体１１１内には、第二の接続ポート１２から第三の接続ポート１３へ流れる流体を濾過するフィルター１６が、流体通路１ａの内周面に沿って設けられている。該フィルター１６は円筒状に構成され、弁座１４１とリブ１４３との間に保持されている。このフィルター１６としては、第二の逆止弁１８のシール性を阻害する程度の大きさの微細固形物は通過できないがドレン水の通水抵抗は小さいものを採用することが好ましく、例えば金属メッシュフィルターなどを用いることができる。なお、図示実施例ではフィルター１６の外周面と流体通路１ａの内周面との間に隙間が形成されるように構成しているが、分岐路１ｂの開口部のみにフィルター１６を設ける場合には流体通路１ａの内周面と面一となるようにフィルター１６を配設することもできる。
【００３２】
第一の弁本体１１１の軸方向中途部には第二の弁本体１１２を取付けるための取付筒部１１１ａが流体通路１ａの軸方向に対して垂直に設けられており、該取付筒部１１１ａ内に第二の弁本体１１２が螺着固定されている。なお、第二の弁本体１１２の先端部外周と取付け筒部１１１ａの基端部内周はテーパー面に形成され、これらテーパー面の間にＯリング１７が介装されている。
【００３３】
第二の弁本体１１２は、内部に上記分岐路１ｂを有する円筒状部材であり、分岐路１ｂ内にスプリングディスク式の第二の逆止弁１８が設けられている。該第二の逆止弁１８は、第二の弁本体１１２の先端部に形成された排水口１１２ａを開閉する円盤状の弁体１８１と、該弁体１８１により排水口１１２ａを閉じる方向に弁体１８１を付勢するコイルスプリング１８２とを備えている。弁体１８１は、円盤状ゴムパッキン１８１ａと、該ゴムパッキン１８１ａを保持するホルダー１８１ｂとからなる。該ホルダー１８１ｂの外径は分岐路１ｂの内径よりも小さく、第二の逆止弁１８の開弁時にはホルダー１８１ｂの外周側の隙間を通って下流側にドレン水が排水されるようになっている。また、コイルスプリング１８２の付勢力は、風呂追焚き時に浴槽水が第一の接続ポート１１から第二の接続ポート１２へ通水する際には第二の逆止弁１８は開弁せず、ドレン水排水時にポンプ３５により送出されるドレン水の圧力によって第二の逆止弁１８が開弁するように設定されている。
【００３４】
以上説明した本実施形態に係る弁装置１によれば、風呂追焚き運転時には、図１に示すように、第一の逆止弁１４は実質的に無負荷で開弁する一方、第二の逆止弁１８はスプリング１８２の付勢力によって弁体１８１が排水口１１２を確実に封止するため、浴槽水が分岐路１ｂに漏出することがない。一方、ドレン水排水時には、図２に示すように、ポンプ３５により戻り配管３７を介して第二の接続ポート１２に送出されるドレン水の圧力によって第一の逆止弁１４が閉弁されるとともに第二の逆止弁１８が開弁され、ドレン水を浴槽に排出することを防止して、該ドレン水を分岐路１ｂ及び排水管路７を介して浴槽下排水設備６２に排水することができる。また、第一の逆止弁１４の球状弁体１４２の軸方向の可動範囲の外周に分岐路１ｂ及び第二の逆止弁１８を配設したので、全体として小型化を図ることができ、非常に狭い設置スペースにも弁装置１を設置することが可能になる。また、円筒状フィルターを第一の逆止弁１４の弁座１４１とリブ１４３の間に保持させたので、フィルターを１６を保持するための別途の構造が必要でなく、構造の簡素化が図られ、更なる小型化を図ることができる。さらに、ドレン水を濾過するフィルター１６を第一の弁本体１１１の流体通路１ａ内面に沿って配設したので、風呂追焚き運転時における通水抵抗を増加させることなく、ドレン排水時にはドレン水に含まれる微細固形物をフィルター１６によって取り除くことができ、第二の逆止弁１８の閉弁時のシール性を阻害することがないとともに、取り除かれた微細固形物は通常の風呂追焚き運転時の浴槽水の通水によってある程度フィルターから取り除くことができ、フィルター１６の目詰まりを防止できる。さらに、第二の弁本体１１２を取り外せば、取付筒部１１１ａからフィルター１６を洗浄することができ、メンテナンス性にも優れたものとなる。
【００３５】
図３は本発明の第２の実施形態に係る弁装置１を示しており、上記第１実施形態と同様の構成については同符号を付して詳細説明を省略し、異なる構成、作用効果について説明する。
【００３６】
本第２実施形態では、第二の逆止弁１８が、球状弁体１８３を有するリフト式逆止弁によって構成され、風呂追焚き運転時には弁体１８３の自重によって弁座１８４を閉鎖し、ドレン排水時にはポンプ３５により送出されるドレン水の圧力によって弁体１８３を押し上げることで開弁されるように構成されている。第二の弁本体１１２は第一の弁本体１１１の中途部から上方に向けて取付けられ、該第二の弁本体１１２内の分岐路１ｂ内に球状弁体１８３が封入されている。かかる構成によれば、スプリングが不要となり、より一層の構造の簡素化、小型化を図ることができる。
【００３７】
本発明は上記実施形態に限定されるものではなく、適宜設計変更できる。例えば、本発明の弁装置は、潜熱回収型給湯器のドレン水排水用途に限定されるものではなく、ふろ給湯器やふろ給湯暖房機や燃料電池発電装置などにおいて発生する不要水の排出用途、その他の適宜の用途に使用可能である。
【符号の説明】
【００３８】
１    弁装置
１ａ  流体通路
１ｂ  分岐路
１１    第一の接続ポート
１２    第二の接続ポート
１３    第三の接続ポート
１４    第一の逆止弁
１４１  弁座
１４２  球状弁体
１４３  リブ
１６    フィルター
１８    第二の逆止弁
１１１    第一の弁本体
１１２    第二の弁本体
【図１】
2013072507.tif 000003
【図２】
2013072507.tif 000004
【図３】
2013072507.tif 000005
【図４】
2013072507.tif 000006